(57)【特許請求の範囲】
【請求項１】
水平面内で直交する２方向に延びるリブを縦横に組み合わせて、支柱部配置用開口部を備えた水平構造部を形成し、且つ上下方向に延びる支柱部の基端部を、上記水平構造部の支柱部配置用開口部の内側に配置すると共に、該支柱部の基端部の外壁面における複数個所と、その外側に位置する上記水平構造部の支柱部配置用開口部の周縁の対応する個所とを、上記水平構造部を形成するリブの剛性よりも低剛性の接続部を介して一体に接続してなる構成を有することを特徴とする貯水空間形成ブロック。
【請求項２】
支柱部を、水平断面の外形が多角形の角錐台形状とした請求項１記載の貯水空間形成ブロック。
【請求項３】
支柱部の水平断面の外形を八角形とした請求項２記載の貯水空間形成ブロック。
【請求項４】
外形を八角形とした支柱部の基端部の外形の頂点となる個所を、接続部を介して水平構造部の支柱部配置用開口部の周縁に接続するようにした請求項３記載の貯水空間形成ブロック。
【請求項５】
水平構造部を方形とし、支柱部配置用開口部を、上記水平構造部の各辺と平行な辺を備えた正方形とし、支柱部の基端部と水平構造部とを接続する接続部を、上記支柱部配置用開口部の対角線に沿う配置とした請求項１、２、３又は４記載の貯水空間形成ブロック。
【発明の詳細な説明】
【技術分野】
【０００１】
本発明は、水平方向に縦横に隣接配置すると共に垂直方向に積層配置して地下貯水槽（雨水貯留浸透施設）等の貯水空間を形成するために用いる貯水空間形成ブロックに関するものである。
【背景技術】
【０００２】
従来より、地下に貯水槽（雨水貯留浸透施設）を設けて、降雨時に雨水を一時的に貯留できるようにし、この貯留した雨水を徐々に下水に流したり、周囲の地中に徐々に浸透させるようにすることで、洪水の発生を抑制することが行われている。
【０００３】
又、上記地下貯水槽に貯留した雨水を、防火用水や、花壇や畑の散水等に利用することも考えられている。
【０００４】
上記のような地下貯水槽は、当初、孔の明いたコンクリートブロックで枠を作る構成が採られていた。
【０００５】
しかし、近年では、図６に示すように、地面１を掘り下げて平面形状が矩形（正方形を含む）の凹部２を形成し、該凹部２内にて、骨格となる樹脂製の貯水空間形成用のブロック３を、水平方向に縦横に配列すると共に上下方向に多段に積層して直方体（立方体を含む）形状に組み立てて、その内部に貯水空間を形成し、その後、外周部に壁４を設けると共に上面に天板５を取り付け、更に、その周囲を、雨水の貯留や浸透の目的に応じて遮水シートや透水シートや保護シートを適宜選択あるいは組み合わせて用いるシート材６で覆った後、上側から土を埋め戻すことにより、地下貯水槽Ｉを構築するようにしてある。２ａは上記凹部２の底部に設けた平坦な基礎である。
【０００６】
この種の地下貯水槽Ｉを構築するために用いられる上記樹脂製の貯水空間形成ブロック（ユニット部材）３は、たとえば、図７（イ）（ロ）に示すように、平面形状が正方形で上下方向に所要寸法立ち上がる枠状の縁部８と、その内側で、該縁部８の正方形の各辺と平行な２方向に沿って配置された互いに交差する縦横のリブ９ａ及び９ｂと、該各リブ９ａと９ｂによって囲まれた区画に形成された透口１０を備えた水平なプレート状の基盤部７に、該基盤部７の上面側に突き出して上端部（天壁）が塞がり且つ基盤部７の下面側で開口する截頭円錐状の中空の突出部（支柱部）１１を、１つ又は所要の間隔をあけて複数設けた構成として、ブロック全体を樹脂により一体成型してある。なお、図７（イ）（ロ）では突出部１１を一つとした場合が示してある（たとえば、特許文献１参照）。
【０００７】
上記構成としてある貯水空間形成ブロック３を用いて図６に示したような地下貯水槽Ｉを構築する場合、上記貯水空間形成ブロック３を水平方向に縦横に配列して組み立てるときには、隣接する貯水空間形成ブロック３同士で、上記平面形状を正方形としてある基盤部７の外周端面を互いに突合せ、この状態で基盤部７同士の突合せ部分を、図示しない連結手段（固定手段）により連結するようにしてある。これにより、構築された地下貯水槽Ｉ（図６参照）では、或る高さ位置の水平面内に、上記各貯水空間形成ブロック３の基盤部７が連続して配置されるようにして、該地下貯水槽Ｉに対して周囲に存在する土より作用する土圧による水平方向の荷重を、上記各貯水空間形成ブロック３の各基盤部７に作用する圧縮荷重、より具体的には、該各基盤部７の各リブ９ａ及び９ｂに対して長手方向に沿って作用する圧縮荷重として受けて支持することができるようにしてある。
【０００８】
又、上記図６に示した如き地下貯水槽Ｉを構築するために、上記貯水空間形成ブロック３を上下方向に多段に積層して配置するときには、最も下段の貯水空間形成ブロック３を、突出部１１が上向きとなる通常姿勢に配置すると共に、その上側に、上下を反転させた姿勢の別の貯水空間形成ブロック３を配置して、上下方向に対向配置される両者の突出部１１同士を突き合わせた状態で、突合せ部分を図示しない連結手段（固定手段）を用いてで連結するようにしてある。更に、その真上に、上記と同様に通常姿勢と上下反転姿勢で突出部１１同士を付き合わせた状態で連結することにより上下に組み合わせた貯水空間形成ブロック３の組を、地下貯水槽Ｉに所望される高さ寸法に応じた段数で順次重ねて配置するようにしてある。これにより、構築された地下貯水槽Ｉでは、上記水平面内で縦横に配列された各貯水空間形成ブロック３の突出部１１の位置毎に、上下方向に積層配置されている各貯水空間形成ブロック３の突出部１１が上下に連続して配置されるようにして、該地下貯水槽Ｉに対して天板５（図６参照）の上方より作用する埋め戻した部分に存在する土、及び、地下貯水槽Ｉの真上の地面に配置される物体の鉛直方向の荷重を、上記上下方向に連続配置された上記各貯水空間形成ブロック３の突出部１１の圧縮荷重として受けて支持することができるようにしてある。
【先行技術文献】
【特許文献】
【０００９】
【特許文献１】特許第４０８４４３７号公報
【発明の概要】
【発明が解決しようとする課題】
【００１０】
ところが、上記従来の貯水空間形成ブロック３では、基盤部７に設けてある縦横のリブ９ａ，９ｂを、突出部１１の基端部となる下端部の対応する個所に繋げて、該突出部１１の下端側を上記基盤部７に堅固に結合した構成としてあるため、耐震性能に劣るというのが実状である。
【００１１】
すなわち、図６に示した地下貯水槽Ｉは、地震時には、その周囲に存在する土砂と共に動くようになるが、この動きに伴って周囲に存在する土より作用する土圧が周方向で不均等になると、該地下貯水槽Ｉに、たとえば、図６に二点鎖線で示すように、上部と下部が水平方向に相対変位して側面形状が平行四辺形となるような変形が生じる虞がある。
【００１２】
このような変形が地下貯水槽Ｉに生じると、該地下貯水槽Ｉにて通常姿勢と上下反転姿勢で突出部１１同士を突き合わせて連結した状態で上下に隣接配置されている貯水空間形成ブロック３同士では、土圧による水平方向の荷重を受ける双方の基盤部７が水平方向に相対変位しようとする。
【００１３】
しかし、従来の貯水空間形成ブロック３では、基盤部７に対して突出部１１が垂直方向に突出する状態で堅固に結合されているため、上記したように突出部１１同士を突き合わせて連結した状態で上下に隣接配置されている貯水空間形成ブロック３同士では、この連結された突出部１１によって互いの基盤部７の水平方向の相対変位が強く拘束されるようになる。
【００１４】
そのため、上記地下貯水槽Ｉを構築している各貯水空間形成ブロック３の突出部１１には、鉛直方向の荷重を支持するための鉛直力に加えて、該各貯水空間形成ブロック３における基盤部７の水平方向の変位に抗するための水平力が働くようになるため、該突出部１１に局部的な強度の低下が生じる虞が生じてしまうというのが実状である。
【００１５】
なお、従来の貯水空間形成ブロック３では、上記したような地震時に突出部１１に鉛直力と水平力が同時に作用するようになっても該突出部１１に局部的な強度の低下が生じないようするための対策として、突出部１１と基盤部７を繋ぐリブ９ａ，９ｂの数を増やしたり、突出部１１に繋がる部分でリブ９ａ，９ｂの上下寸法を増大させる等して突出部１１と基盤部７の堅固な結合をより強固に行うようにする方向の対策が採られることが多いが、この手法では貯水空間形成ブロック３の全体重量の増加を招くという問題や、上記貯水空間形成ブロック３を樹脂により一体成型するときの型が複雑化するという問題が生じ、更には、材料コストや製造コストが嵩むため、上記突出部１１と基盤部７との結合部の剛性を高めることにも限界がある。
【００１６】
そこで、本発明は、土圧による水平力を支持するための水平構造部と、上下方向の荷重を支持するための支柱部とを接合する部分を、地震時等に作用する外力により撓ませることができるようにして、上記支柱部の上記水平構造部に垂直な方向からの傾きを許容でき、これにより、地震時における上記水平構造部の水平方向の変位に抗するために上記支柱部に働く水平力を抑えることが可能な貯水空間形成ブロックを提供しようとするものである。
【課題を解決するための手段】
【００１７】
本発明は、上記課題を解決するために、請求項１に対応して、水平面内で直交する２方向に延びるリブを縦横に組み合わせて、支柱部配置用開口部を備えた水平構造部を形成し、且つ上下方向に延びる支柱部の基端部を、上記水平構造部の支柱部配置用開口部の内側に配置すると共に、該支柱部の基端部の外壁面における複数個所と、その外側に位置する上記水平構造部の支柱部配置用開口部の周縁の対応する個所とを、上記水平構造部を形成するリブの剛性よりも低剛性の接続部を介して一体に接続してなる構成を有する貯水空間形成ブロックとする。
【００１８】
又、上記構成において、支柱部を、水平断面の外形が多角形の角錐台形状とした構成とする。
【００１９】
更に、上記構成において、支柱部の水平断面の外形を八角形とした構成とする。
【００２０】
更に又、上記構成において、外形を八角形とした支柱部の基端部の外形の頂点となる個所を、接続部を介して水平構造部の支柱部配置用開口部の周縁に接続するようにした構成とする。
【００２１】
上述の各構成において、水平構造部を方形とし、支柱部配置用開口部を、上記水平構造部の各辺と平行な辺を備えた正方形とし、支柱部の基端部と水平構造部とを接続する接続部を、上記支柱部配置用開口部の対角線に沿う配置とした構成とする。
【発明の効果】
【００２２】
本発明の貯水空間形成ブロックによれば、以下のような優れた効果を発揮する。 
（１）水平面内で直交する２方向に延びるリブを縦横に組み合わせて、支柱部配置用開口部を備えた水平構造部を形成し、且つ上下方向に延びる支柱部の基端部を、上記水平構造部の支柱部配置用開口部の内側に配置すると共に、該支柱部の基端部の外壁面における複数個所と、その外側に位置する上記水平構造部の支柱部配置用開口部の周縁の対応する個所とを、上記水平構造部を形成するリブの剛性よりも低剛性の接続部を介して一体に接続してなる構成としてあるので、水平構造部と支柱部の先端部に水平方向に相対変位させるような力が作用すると、水平構造部や支柱部に過大な加重が作用する前に上記接続部が撓んで、上記支柱部を、水平構造部に垂直な方向から傾けることができる。 
（２）よって、本発明の貯水空間形成ブロックを用いて地下貯水槽を形成した状態で、地震発生時に、該地下貯水槽にその上部と下部が水平方向に相対変位して側面形状が平行四辺形となるような変形が生じる場合であっても、上下方向に積層配置された各段の貯水空間形成ブロックの支柱部の上下方向に連続する配置構造を保持したまま、該各段の貯水空間形成ブロックの水平構造部を水平方向へ相対変位させることが可能になるため、地震発生時であっても、上記支柱部に水平構造部の水平方向の変位に抗するために作用する水平力を大幅に抑制することができる。 
（３）したがって、本発明の貯水空間形成ブロックでは、水平方向の荷重を受ける上記水平構造部と、鉛直方向の荷重を受ける支柱部について、それぞれの機能を明確に分離することができるようになることから、該水平構造部と支柱部について、地下貯水槽の構築時に作用する水平方向の荷重の許容値と、鉛直方向の荷重の許容値を別々に定めて設計できるようになり、従来の貯水空間形成ブロックに比してブロック全体での重量の軽減化を図ることが可能になると共に、耐震性に優れたものとすることができる。 
（４）支柱部を、水平断面の外形が多角形の角錐台形状とした構成とすることにより、該支柱部を中空の筒状とする場合に、周壁の周方向等間隔個所に屈曲個所（折り目）を設けることができるため、支柱部を円筒状とする場合に比して座屈に対する強度を高めることができる。 
（５）更に、支柱部の水平断面の外形を八角形とした構成とすることにより、該支柱部を、上記水平構造部が配置してある水平面内で周方向を八分した各方位より作用する外力に対して均等な剛性を有するものとすることができる。したがって、上記支柱部を、該支柱部を中心として上記水平構造部の各リブが延びる方向となる四方はもとより、周方向のいかなる方位より作用する外力に対しても、ほぼ均等な剛性を有するものとすることができる。このため、本発明の貯水空間形成ブロックの水平方向の力に対する強度に、水平方向の力が作用する方位の違いによってばらつきが生じることを抑制することができる。 
（６）外形を八角形とした支柱部の基端部の外形の頂点となる個所を、接続部を介して水平構造部の支柱部配置用開口部の周縁に接続するようにした構成とすることにより、上記支柱部における上記接続部との取り合い部分を、該支柱部の基端部の外壁面における八角形の外形の頂点となる屈曲個所（折り目）とすることができるため、該支柱部の接続部との取り合い部分の剛性を高めることができる。更に、支柱部の基端部の外壁面における八角形の外形の８つの頂点のうち、１つ置きとなる４つの頂点に上記接続部を接続するようにすれば、該支柱部の基端部の外壁面における周方向の均等な位置に、局部的な強度を弱めることなく上記接続部を接続した構成を容易に実現することができる。 
（７）水平構造部を方形とし、支柱部配置用開口部を、上記水平構造部の各辺と平行な辺を備えた正方形とし、支柱部の基端部と水平構造部とを接続する接続部を、上記支柱部配置用開口部の対角線に沿う配置とした構成とすることにより、接続部の長さ寸法を長く設定することができて、該接続部の強度を確保しつつその撓み変形を許容するのに有利な構成とすることができる。又、地震時に地下貯水槽に生じる変形は、該地下貯水槽の矩形の平面形状の各辺に直交する方向に生じ易いが、このような変形に追随する場合に支柱部を水平構造部に垂直な方向から傾ける方向と、上記接続部の位置をずらすことができて、該接続部の強度を確保しつつ上記支柱部の傾動を担保するのに有利な構成とすることができる。
【図面の簡単な説明】
【００２３】
【図１】本発明の貯水空間形成ブロックの実施の一形態を示す概略斜視図である。
【図２】図１の貯水空間形成ブロックにおける１つの支柱部とその周辺を拡大して示すもので、（イ）は平面図、（ロ）は（イ）のＡ−Ａ方向矢視図である。
【図３】図１の貯水空間形成ブロックを、支柱部が上方に突出する通常姿勢と、上下を反転させた姿勢で上下２段に積層配置して、該上下の各貯水空間形成ブロックの支柱部の先端部同士を突き合わせて連結した状態を示すもので、（イ）は平常状態を、（ロ）は上下の各貯水空間形成ブロックの水平構造部に水平方向に相対変位させる力が作用した状態をそれぞれ示す概略側面図である。
【図４】本発明の実施の他の形態として、接続部の別の例を示すもので、（イ）は貯水空間形成ブロックにおける１つの支柱部とその周辺を示す平面図、（ロ）は（イ）のＢ−Ｂ方向矢視図である。
【図５】本発明の実施の更に他の形態として、接続部の更に別の例を示すもので、（イ）は接続部を水平な平板状とした場合を、（ロ）は接続部を水平な平板とリブからなる逆Ｔ字状断面とした場合を、（ハ）は接続部の断面形状を十字状とした場合をそれぞれ示す図４（ロ）に対応する図である。
【図６】地下貯留槽の概要を示す切断側面図である。
【図７】従来の貯水空間形成ブロックの一例を示すもので、（イ）は概略平面図、（ロ）は概略側面図である。
【発明を実施するための形態】
【００２４】
以下、本発明を実施するための形態を図面を参照して説明する。
【００２５】
図１乃至図３（イ）（ロ）は本発明の貯水空間形成ブロックの実施の一形態を示すもので、以下のようにしてある。
【００２６】
すなわち、本発明の貯水空間形成ブロックは、図１及び図２（イ）（ロ）に符号１２で示すように、水平面内で互いに直交する２方向に延びるリブ１４ａと１４ｂを縦横に組み合わせて、支柱部配置用開口部としての格子目１５を有する構造（格子構造）の水平構造部１３を備え、且つ該水平構造部１３における上記格子目１５の内側に、上下方向に或る高さ寸法で延びる支柱部１６の下端部となる基端部を配置して、該支柱部１６の基端部の外壁面における複数個所と、その外側に位置する上記水平構造部１３の格子目１５の周縁を形成しているリブ１４ａ，１４ｂの所要個所とを、該各リブ１４ａ，１４ｂの剛性よりも低い剛性の接続部１７を介して一体に接続してなる構成とする。
【００２７】
詳述すると、上記水平構造部１３を構成するための各リブ１４ａ，１４ｂは、上下方向に或る高さ寸法を有し且つ或る厚み寸法を備えた上下に長い矩形断面としてある。
【００２８】
又、上記水平構造部１３は、平面形状を正方形として、図１に示すように、その正方形の各辺に沿う外周部位置に、或る間隔で平行に配置した２本ずつのリブ１４ａと１４ｂを備えると共に、上記正方形の２組の対辺の中間部同士を結ぶ位置に、或る間隔で平行に配置した３本ずつのリブ１４ａと１４ｂを備え、該各リブ１４ａと１４ｂを同一平面内で縦横に組み合わせて一体にした構成としてあり、これにより、上記正方形の各コーナの内側となる４個所に、上記リブ１４ａと１４ｂによって囲まれた正方形の格子目１５が、上記支柱部１６の基端部の平面形状よりもやや大きなサイズで形成してある。
【００２９】
更に、上記各格子目１５の各辺の中間位置の外側面にも、縦方向と横方向の短いリブ１４ａと１４ｂを直角方向に一体に組み合わせて設けるようにしてある。
【００３０】
なお、上記縦横の各リブ１４ａ，１４ｂにより囲まれた上記格子目１５以外の区画には、水を通過させるための透口１８が設けてある。
【００３１】
上記支柱部１６は、筒状としてあり、その水平断面の外形を、一例として、多角形状としての八角形状とするようにしてある。これにより、周壁の周方向等間隔個所に屈曲個所（折り目）を設けることで、円筒に比して座屈に対する強度を高めることができるようにしてある。更には、該支柱部１６を、水平面内で周方向を八分した各方位より作用する外力に対して均等な剛性を有するものとすることができることから、上記支柱部１６を、該支柱部１６を中心として上記水平構造部の各リブ１４ａ，１４ｂが延びる方向となる四方はもとより、周方向のいかなる方位より作用する外力に対しても、ほぼ均等な剛性を有するものとすることができるようにしてある。
【００３２】
更に、上記筒状としてある支柱部１６は、下端部（基端部）より上端部（先端部）に向けて徐々に平面形状が小さくなる角錐台形状とすると共に、基端側の開口１９が、該支柱部１６の先端部の外径寸法よりも大きくなるようにして、１つの貯水空間形成ブロック１２の各支柱部１６の内側に、その基端側の開口１９を通して、別の貯水空間形成ブロック１２の各支柱部１６における水平構造部１３の上端より上方へ突出する部分を収容することができるようにしてある。これにより、本発明の貯水空間形成ブロック１２は、各支柱部１６の突出する向きを同じ方向に揃えた状態で複数個スタックすることができるようにしてある。よって、使用前の貯水空間形成ブロック１２をスタックしておくようにすることで、その保管や運搬に要するスペースを小さくすることができるようにしてある。
【００３３】
上記各支柱部１６の先端部は、天板２０で閉塞させるようにしてある。更に、該各支柱部１６の天板２０には、図１及び図２（イ）に示すように、上記水平構造部１３の平面形状である正方形の中央を中心とする同心円上で、且つ該正方形の対角線を中心軸とする対称位置に、上向きに突出する係合用突部２１と、該係合用突部２１を挿入するための係合穴２２がそれぞれ設けてある。これにより、支柱部１６を上向きとした通常姿勢の貯水空間形成ブロック１２の上側に、上下を反転させた姿勢の別の貯水空間形成ブロック１２を配置して、上下方向に対向配置される双方の支柱部１６の先端同士を突き合わせるときに、一方の係合用突部２１を他方の係合穴２２に挿入させると共に、他方の係合用突部２１を一方の係合穴２２に挿入させることができるようにしてあり、よって、上記上下に突き合せた支柱部１６の先端部同士を、水平方向への相対変位を拘束した状態で繋ぐことができるようにしてある。
【００３４】
上記支柱部１６は、基端部の外壁面における八角形の外形の８つの頂点のうち、１つ置きとなる４つの頂点が、上記水平構造部１３に設けた正方形の格子目１５の対角線上に位置するようにした姿勢で該格子目１５の中央に配置してあり、この状態で、該支柱部１６の基端部の上記４つの頂点と、該４つの頂点が対向する上記水平構造部１３の格子目１５の対角線に沿う４個所のリブ１４ａ，１４ｂとの間に個別の接続部１７を配置して、該各接続部１７の外側端部を、上記格子目１５の各コーナ部を形成しているリブ１４ａ及び１４ｂにそれぞれ一体に接続すると共に、該各接続部１７の内側端部を、上記支柱部１６の基端部の上記４つの頂点に、それぞれ一体に接続する。これにより、上記支柱部１６における上記接続部１７との取り合い部分を、該支柱部１６の基端部の外壁面における八角形の外形の４つの頂点、すなわち、周壁の屈曲個所（折り目）とすることができるため、該支柱部１６の接続部１７との取り合い部分の剛性を高めることができるようにしてある。よって、上記支柱部１６の基端部の外壁面における周方向の均等な位置に、局部的な強度を弱めることなく上記接続部１７を介して水平構造部１３の格子目１５の対応するコーナ部を一体に接続することができるようにしてある。
【００３５】
上記支柱部１６の基端部と、水平構造部１３における上記格子目１５の周縁に存在するリブ１４ａ，１４ｂとを接続するための接続部１７は、たとえば、図２（イ）（ロ）に示すように、その断面形状を、上記水平構造部１３を形成している各リブ１４ａ，１４ｂと同様の厚み寸法で且つ該各リブ１４ａ，１４ｂに比して高さ寸法が小さい矩形断面形状とすることで、上記各リブ１４ａ，１４ｂに比して断面積を低減させるようにしてあり、これにより、該接続部１７と上記各リブ１４ａ，１４ｂを同一の樹脂により形成した場合に、該接続部１７の剛性が、上記各リブ１４ａ，１４ｂの剛性よりも低くなるようにしてある。
【００３６】
なお、上記本発明の貯水空間形成ブロック１２は、上記水平構造部１３、各支柱部１６及び各接続部１７を、樹脂により一体成型するようにしてあるものとする。
【００３７】
以上の構成としてある本発明の貯水空間形成ブロック１２は、上記支柱部１６の基端部を、上記水平構造部１３の格子目１５の内側に、該水平構造部１３を形成しているリブ１４ａ，１４ｂに比して剛性が低い接続部１７を介して接続した構成としてあるため、上記支柱部１６の先端部と、上記水平構造部１３に、水平方向に相対変位させるような力が作用すると、上記水平構造部１３や支柱部１６に過大な荷重が作用する以前に、先ず、上記支柱部１６の基端部と水平構造部１３を繋いでいる各接続部１７に撓みが生じ、この接続部１７の撓み変形により、上記支柱部１６が、上記水平構造部１３の垂直方向から傾くようになる。この際、上記支柱部１６を上記水平構造部１３と接続する上記接続部１７は、支柱部１６の周方向に均等配置されているため、上記支柱部１６を、上記水平構造部１３の垂直方向から全方位に傾けることが可能になる。
【００３８】
したがって、上記本発明の貯水空間形成ブロック１２により、図３（イ）に示す如く、図６に示したような地下貯水槽Ｉを構築する場合と同様に、支柱部１６を上向きとした通常姿勢の貯水空間形成ブロック１２の上側に、上下を反転させた姿勢の別の貯水空間形成ブロック１２を配置して、上下方向に対向配置される双方の支柱部１６の先端同士を突き合わせて繋いだ構造を形成した状態で、上下の各貯水空間形成ブロック１２の水平構造部１３同士に、水平方向に相対変位させるような力、たとえば、図３（イ）に矢印ｆで示すように、下側の貯水空間形成ブロック１２の水平構造部１３の位置を基準として、上側の貯水空間形成ブロック１２の水平構造部１３に水平方向左向きの力が作用すると、図３（ロ）に示すように、個々の貯水空間形成ブロック１２では、前述したような接続部１７（図１及び図２（イ）（ロ）参照）の撓み変形による水平構造部１３に対する各支柱部１６が相対的に傾く変形が許容されるため、上記上下の各貯水空間形成ブロック１２の支柱部１６同士の突き合せ部分が保持されたまま、下側の貯水空間形成ブロック１２の水平構造部１３に対し、上側の貯水空間形成ブロック１２の水平構造部１３の上記力が作用する方向（図では左側）への変位が生じるようになる。
【００３９】
よって、本発明の貯水空間形成ブロック１２では、図６に示した貯水空間形成ブロック３と同様にして地下貯水槽Ｉを形成した状態で、地震発生時に、その周囲に存在する土砂より作用する土圧が周方向で不均等になることに伴って、図６に二点鎖線で示したような上部と下部が水平方向に相対変位して側面形状が平行四辺形となるような変形が生じる場合には、上記図３（イ）（ロ）に示したと同様の作用により、上下方向に積層配置された各段の貯水空間形成ブロック１２における各支柱部１６の上下方向に連続する配置構造を保持したまま、該各段の貯水空間形成ブロック１２の水平構造部１３を水平方向へ相対変位させることが可能になる。これにより、地震発生時であっても、上記支柱部１６に水平構造部１３の水平方向の変位に抗するために作用する水平力を大幅に抑制することができる。
【００４０】
以上により、本発明の貯水空間形成ブロック１２は、図６に示した貯水空間形成ブロック３と同様に地下貯水槽Ｉを構築すると、該地下貯水槽Ｉの周囲に存在する土砂より作用する土圧による水平方向の荷重を受ける水平構造部１３と、地下貯水槽Ｉに対して天板５（図６参照）の上方より作用する該地下貯水槽Ｉを埋め戻した部分に存在する土、及び、地下貯水槽Ｉの真上の地面に配置された物体の鉛直方向の荷重を受ける支柱部１６とについて、それぞれの機能を明確に分離することができるようになることから、上記水平構造部１３と支柱部１６について、上記地下貯水槽Ｉ（図６参照）構築時に作用する水平方向の荷重の許容値と、鉛直方向の荷重の許容値を別々に定めて設計できるようになるため、従来の貯水空間形成ブロックに比してブロック全体での重量の軽減化を図ることが可能になると共に、耐震性に優れたものとすることができる。
【００４１】
しかも、上記本発明の貯水空間形成ブロック１２では、支柱部１６の基端部と水平構造部１３とを繋ぐ各接続部１７を、該水平構造部１３に設けた格子目１５の対角線方向に沿って配置してあることから、該各接続部１７の長さ寸法を長く設定することができて、該各接続部１７の強度を確保しつつその撓み変形を許容するのに有利な構成とすることができる。又、上記図６に示したと同様の地下貯水槽Ｉを構築した場合、地震時に該地下貯水槽Ｉに生じる変形は、地下貯水槽Ｉの矩形の平面形状の各辺に直交する方向に生じ易いため、このような変形に追随するには、個々の貯水空間形成ブロック１２にて、支柱部１６を水平構造部１３の正方形の平面形状の各辺の中央部の方向へ傾ける必要が生じるが、この際、上記各接続部１７が、支柱部１６の傾く方向からずれた位置に配置されているため、該各接続部１７のいずれもが突っ張る虞がなく、よって、該各接続部１７の強度を確保しつつ上記支柱部１６の傾動を担保するのに有利な構成とすることができる。
【００４２】
上記においては、支柱部１６の基端部と水平構造部１３とを繋ぐ接続部１７を、該水平構造部１３を構築するリブ１４ａ，１４ｂと同じ厚みで、高さ寸法を減少させた断面形状を備えたものとして示したが、図４（イ）（ロ）に示すように、上記リブ１４ａ，１４ｂと同じ高さ寸法で、且つ該リブ１４ａ，１４ｂに比して厚み寸法を低減させた断面形状の接続部１７ａとしてもよい。
【００４３】
以上の構成としてある図４に示す貯水空間形成ブロック１２においても、上記接続部１７ａの剛性を、上記リブ１４ａ，１４ｂの剛性に比して低減させることができるため、上記水平構造部１３と、支柱部１６の先端部に水平方向に相対変位させるような力が作用すると、上記水平構造部１３や支柱部１６に過大な荷重が作用する以前に、先ず、上記支柱部１６の基端部と水平構造部１３を繋いでいる各接続部１７ａに撓みが生じ、この接続部１７ａの撓み変形により、上記支柱部１６が、上記水平構造部１３の垂直方向から傾くようになる。
【００４４】
よって、図４（イ）（ロ）の実施の形態においても、図１乃至図３（イ）（ロ）の実施の形態と同様の効果を得ることができる。
【００４５】
又、上記接続部の剛性を、上記リブ１４ａ，１４ｂの剛性に比して低減させることができるようにしてあれば、図５（イ）に示すような水平方向に扁平した断面形状の接続部１７ｂ、図５（ロ）に示すような断面形状逆Ｔ字状の接続部１７ｃ、図５（ハ）に示すような断面形状十字状の接続部１７ｄを採用してもよい。更には、接続部の剛性を、上記水平構造部１３のリブ１４ａ，１４ｂの剛性に比して低減させることができ、且つ該接続部を、上記水平構造部１３及び支柱部１６と一体成型が可能となるようにしてあれば、任意の断面形状を採用してよい。
【００４６】
図４（イ）（ロ）及び図５（イ）（ロ）（ハ）において、図１及び図２に示したものと同一のものには同一符号が付してある。
【００４７】
なお、本発明は上記実施の形態のみに限定されるものではなく、上記各実施の形態では、４つの支柱部１６を備えた構成について説明したが、支柱部１６の数は、水平構造部１３の平面形状が正方形である場合は、全方位の剛性を均等化するという観点から考えると、該水平構造部１３の水平面内での寸法に応じて、自然数を二乗した数に設定することが望ましいが、上記水平構造部１３の平面形状が正方形以外の矩形である場合、あるいは、正方形の場合であっても、支柱部１６の数を適宜変更してもよい。
【００４８】
本発明の貯水空間形成ブロック１２にて、支柱部１６を単数とする場合は、水平構造部１３を、格子構造ではなく、平面形状の中央に１つの支柱部配置用開口部を備えた形状とすればよい。
【００４９】
支柱部１６は、水平断面の外形が八角形のものとして示したが、八角形以外の多角形状としてもよい。更には、支柱部１６として、水平断面の外形が円形のものを採用してもよい。この場合は、支柱部１６を円錐台形状とすれば、本発明の貯水空間形成ブロック１２を、支柱部１６の突出する向きを同じ方向に揃えた状態で複数個スタックする場合に有利な構成とすることができる。
【００５０】
支柱部１６は、本発明の貯水空間形成ブロック１２をスタックできるようにするという観点から考えると角錐台形状や円錐台形状とすることが望ましいが、基端部から先端部までの断面寸法が同一となる形状のものとしてもよい。
【００５１】
接続部１７，１７ａ，１７ｂ，１７ｃ，１７ｄは、上記支柱部１６の基部の外壁面における周方向等間隔の複数個所と、その外側に位置する水平構造部１３の格子目１５又は支柱部配置用開口部の周縁を形成するリブ１４ａ，１４ｂの対応する個所とを接続できるようにしてあれば、支柱部１６の周りに配置する接続部１７，１７ａ，１７ｂ，１７ｃ，１７ｄの数を、２、３又は５以上としてもよい。又、水平断面の外形を多角形状としてある支柱部１６と該接続部１７，１７ａ，１７ｂ，１７ｃ，１７ｄとの取り合い部分の剛性を高めるという観点から考えると、接続部１７，１７ａ，１７ｂ，１７ｃ，１７ｄの内側端部は、支柱部１６の基端部における外形の頂点となる個所に接続することが望ましいが、上記取り合い部分に所望する剛性に応じて頂点以外の個所に接続するようにしてもよい。更に、接続部１７，１７ａ，１７ｂ，１７ｃ，１７ｄを、水平構造部１３のリブ１４ａ，１４ｂと平行な方向に延びるように配置する等、水平構造部１３の格子目１５又は支柱部配置用開口部の対角線方向以外の方向に配置した構成としてもよい。
【００５２】
水平構造部１３における格子目１５や支柱部配置用開口部は、その内側に支柱部１６の基端部を接続部１７，１７ａ，１７ｂ，１７ｃ，１７ｄを介して接続できるようにしてあれば、上記支柱部１６の基端部の形状に応じて、正方形以外の平面形状としてもよい。
【００５３】
水平構造部１３の外周縁部に、水平方向や上下方向に隣接して配置される別の貯水空間形成ブロック１２の水平構造部１３との接続を行うためのジョイントを装備してなる構成としてもよい。この場合、上記ジョイントの形式が、たとえば、水平方向に凹凸を有する形式であること等に伴って、水平構造部１３の最外周に縦横に連続するリブ１４ａ，１４ｂを設けることができない場合は、該水平構造部１３の最外周部の厚み寸法を、縦横に連続するリブ１４ａ，１４ｂの上下寸法よりも減少させるようにしてもよい。
【００５４】
その他本発明の要旨を逸脱しない範囲内で種々変更を加え得ることは勿論である。
【符号の説明】
【００５５】
１２  貯水空間形成ブロック
１３  水平構造部
１４ａ，１４ｂ  リブ
１５  格子目（支柱部配置用開口部）
１６  支柱部
１７，１７ａ，１７ｂ，１７ｃ，１７ｄ  接続部
【図１】
0005496121.tif 000002
【図２】
0005496121.tif 000003
【図３】
0005496121.tif 000004
【図４】
0005496121.tif 000005
【図５】
0005496121.tif 000006
【図６】
0005496121.tif 000007
【図７】
0005496121.tif 000008